(57)【特許請求の範囲】
【請求項１】
映像信号及び該当する映像信号のディスプレー形式情報の含まれた水平同期信号を出力するための本体と、
前記本体から出力されたディスプレー形式情報に基づいて該当する映像信号のディスプレー形式を把握し、把握されたディスプレー形式にあわせて前記本体から出力された映像信号を画面上にディスプレーするためのモニタと
を備え、
前記本体はディスプレー形式情報を垂直同期信号と同期させるとともに、前記ディスプレー形式情報をモニタで認識するためのクロックパルスを垂直同期信号に含ませて伝送することを特徴とするコンピューターシステムの映像情報インターフェース装置。
【請求項２】
映像信号のディスプレー形式情報を分割し、分割されたディスプレー形式情報を、水平同期信号および映像信号にそれぞれ含ませて、映像信号及び水平同期信号及び垂直同期信号を出力するための本体と、
前記本体から出力されたディスプレー形式情報に基づいて該当する映像信号のディスプレー形式を把握し、把握されたディスプレー形式にあわせて前記本体から出力された映像信号を画面上にディスプレーするためのモニタと
を備えることを特徴とするコンピューターシステムの映像情報インターフェース装置。
【請求項３】
モニタ自体によってディスプレー可能なディスプレイ形式情報を出力し、外部から入力される映像信号を該当する映像形式で画面上にディスプレーするためのモニタと、
前記モニタから出力されたディスプレイ形式情報にあわせて映像信号のディスプレー形式を変換して前記モニタに出力するための本体とを備え
前記モニタは、前記ディスプレイ形式情報を通信用のデータに含ませて、直列クロックパルスとともに本体に伝送することを特徴とするコンピューターシステムの映像情報インターフェース装置。
【請求項４】
モニタと、モニタへ水平／垂直同期信号及び映像信号を出力し、通信ラインを介してモニタとデータ送受信を行う本体とからなるコンピューターシステムにおいて、
前記本体で前記映像信号のディスプレー形式情報を水平同期信号、映像信号、又は通信用のデータのいずれかに含ませてモニタに伝送する段階と、
前記モニタで前記ディスプレー形式情報を用いて前記本体から伝送された映像信号のディスプレー形式を把握し、それにあわせて前記映像信号を画面上にディスプレーする段階と
を備え、
前記本体は前記ディスプレー形式情報を垂直同期信号と同期させるとともに、前記ディスプレー形式情報をモニタで認識するためのクロックパルスを垂直同期信号に含ませて伝送することを特徴とするコンピューターシステムの映像情報インターフェース方法。
【請求項５】
前記ディスプレー形式情報は、
該当するディスプレー形式情報の種類を指定するための認識コードと、
前記認識コードに該当するデータと
を含んでなることを特徴とする請求項４記載のコンピューターシステムの映像情報インターフェース方法。
【請求項６】
前記認識コードは２ビットからなることを特徴とする請求項５記載のコンピューターシステムの映像情報インターフェース方法。
【請求項７】
前記データは、水平区間のドット数と、水平区間のバックポーチのドット数と、垂直区間の水平ライン数と、垂直区間のバックポーチの水平ライン数とを含んでなることを特徴とする請求項５記載のコンピューターシステムの映像情報インターフェース方法。
【請求項８】
モニタと、モニタへ水平／垂直同期信号及び映像信号を出力し、通信ラインを介してモニタとデータ送受信を行う本体とからなるコンピューターシステムにおいて、
前記本体で前記映像信号のディスプレー形式情報を通信用のデータに含ませて水平／垂直同期信号及び映像信号とともにモニタに伝送する段階と、
前記モニタで前記ディスプレー形式情報を用いて前記本体から伝送された映像信号のディスプレー形式を把握し、それにあわせて映像信号を画面上にディスプレーする段階と
を備え、
前記本体はディスプレー形式情報を垂直同期信号と同期させるとともに、前記ディスプレー形式情報をモニタで認識するためのクロックパルスを垂直同期信号に含ませて伝送することを特徴とするコンピューターシステムの映像情報インターフェース方法。
【請求項９】
モニタと、モニタへ水平／垂直同期信号及び映像信号を出力し、通信ラインを介してモニタとデータ送受信を行う本体とからなるコンピューターシステムにおいて、
前記本体で前記映像信号のディスプレー形式情報を前記水平同期信号又は映像信号のうち少なくとも一つに含ませてモニタに伝送する段階と、
前記モニタで前記ディスプレー形式情報を用いて前記本体から伝送された映像信号のディスプレー形式を把握し、それにあわせて前記映像信号を画面上にディスプレーする段階とを備え、
前記本体はディスプレー形式情報を垂直同期信号と同期させるとともに、前記ディスプレー形式情報をモニタで認識するためのクロックパルスを垂直同期信号に含ませて伝送することを特徴とするコンピューターシステムの映像情報インターフェース方法。
【請求項１０】
モニタと、モニタへ水平／垂直同期信号及び映像信号を出力し、通信ラインを介してモニタとデータ送受信を行う本体とからなるコンピューターシステムにおいて、
前記本体で前記映像信号のディスプレー形式情報を分割し、分割されたディスプレー形式情報を前記水平同期信号と映像信号の各々に含ませてモニタに伝送する段階と、
前記モニタで前記ディスプレー形式情報を用いて前記本体から伝送された映像信号のディスプレー形式を把握し、それにあわせて前記映像信号を画面上にディスプレーする段階と
を備えることを特徴とするコンピューターシステムの映像情報インターフェース方法。
【請求項１１】
モニタと、モニタへ水平／垂直同期信号及び映像信号を出力し、通信ラインを介してモニタとデータ送受信を行う本体とからなるコンピューターシステムにおいて、
前記モニタ自体によって具現可能な映像のディスプレー形式情報を、通信用のデータに含ませて、直列クロックパルスとともに前記本体に伝送する段階と、
前記本体で前記モニタから伝送されたディスプレー形式情報にあわせて映像信号形式を変換して前記モニタに伝送する段階と、
前記モニタで前記本体から伝送された映像信号をディスプレーする段階と
を備えることを特徴とするコンピューターシステムの映像情報インターフェース方法。
【発明の詳細な説明】
【０００１】
【発明の属する技術分野】
本発明はコンピューターシステムに関し、特にコンピューターシステムの映像情報インターフェース装置及び方法に関する。
【０００２】
【従来の技術】
従来の技術によるコンピューターシステムは、図１に示すようにＰＣ又はワークステーション（Ｗｏｒｋ  ｓｔａｔｉｏｎ）等の各種の情報演算及び情報処理を行って該当する処理内容を画面上に表示するための映像信号を生成する本体１と、図２に示すように前記本体１から出力される水平／垂直同期信号（Ｈ−ｓｙｎｃ／Ｖ−ｓｙｎｃ）とＲ／Ｇ／Ｂ映像信号の伝送を受けて該当する映像をディスプレーし、ＤＤＣ（Ｄｉｓｐｌａｙ  Ｄａｔａ  Ｃｈａｎｎｅｌ）のＳＤＡ（Ｓｅｒｉａｌ  Ｄａｔａ）／ＳＣＬ（Ｓｅｒｉａｌ  Ｃｌｏｃｋ）ラインを介して本体１と各種の情報インターフェースを行うモニタ２とから構成される。この際、モニタ２は、水平／垂直同期信号の周波数情報を分析して入力映像のディスプレー形式を把握し、本体１から伝送されたＲ／Ｇ／Ｂ映像信号を該当するディスプレーフォーマットと同一又は近接の工場モード（Ｆａｃｔｏｒｙ  Ｍｏｄｅ）に該当する形式で信号処理するように制御信号を出力するマイコン１１と、マイコン１１の制御信号に基づいて前記本体１から伝送されたＲ／Ｇ／Ｂ映像信号を該当するディスプレー形式にあわせて信号処理する映像処理部１２と、前記映像処理部１２の出力を画面上にディスプレーするディスプレー部１３とから構成される。
【０００３】
以下、このように構成された従来の技術の動作について説明する。
【０００４】
まず、コンピューターシステムの本体１からモニタ２へ水平／垂直同期信号及びＲ／Ｇ／Ｂ映像信号を伝送する。次いで、モニタ２のマイコン１１は前記水平／垂直同期信号の周波数に基づいて入力映像の形式を把握し、モニタ２に既設定された工場モードのうち該映像形式に最も近接した工場モードで入力映像をディスプレーするように映像処理部１２を制御する。そして、前記映像処理部１２は、入力映像をマイコン１１により設定された工場モードにあわせて映像処理してディスプレー部１３を通じてディスプレーする。
【０００５】
この際、工場モードは、アナログ方式のＣＲＴモニタの場合では水平／垂直同期信号の周波数情報に相応する映像形式、つまり１水平区間のアクティブ映像周波数、１水平区間のバックポーチ(ｂａｃｋｐｏｒｃｈ)タイム、１垂直区間の総水平ライン数、１垂直区間のバックポーチタイム等をテーブル化したものであり、ディジタル方式のＬＣＤモニタの場合では水平／垂直同期信号の周波数情報に相応する映像形式、つまり１水平区間の総ドット(ｄｏｔ)数、１水平区間のバックポーチのドット数、１垂直区間の総水平ライン数、１垂直区間のバックポーチの水平ライン数等をテーブル化したものである。
【０００６】
モニタ２には本体１からＲ／Ｇ／Ｂ映像信号及び水平／垂直同期信号だけ伝送されるが、これだけではモニタ２で本体１から伝送される映像信号の形式を把握することができず、実際映像信号をディスプレーするためには上述の映像形式、例えば１水平区間のアクティブ映像周波数等の情報を必要とする。従って、代表的な水平／垂直同期信号の周波数に相応する映像形式等をテーブル化した工場モードを各モニタ２に適用させて、本体１から伝送された水平／垂直同期信号の周波数と既設定の工場モードの水平／垂直同期信号の周波数とを比較して、同一の水平／垂直同期信号の周波数があれば、前記水平／垂直同期信号の周波数に該当する映像形式を用いて画面をディスプレーする。一方、本体１から伝送された水平／垂直同期信号の周波数と既設定の工場モードの水平／垂直同期信号の周波数とを比較して、同一の水平／垂直同期信号の周波数がなければ、工場モードに設定された水平／垂直同期信号の周波数のうち前記本体１から伝送された水平／垂直同期信号の周波数に最も近接した周波数に該当する映像形式を用いて画面をディスプレーする。
【０００７】
従って、従来の技術によるコンピューターシステムにおいてモニタは、本体から伝送される水平／垂直同期信号の周波数が既設定の工場モードと一致しない場合、画面の位置或いはサイズの異常が発生して使用者の所望する正常な画面が出力されないという問題点があった。
【０００８】
【発明が解決しようとする課題】
本発明は上記の従来の問題点を解決するためになされたものであり、その目的は、本体とモニタのディスプレー映像情報インターフェースを通じて入力映像形式に係わらずに正確な画面を具現可能にしたコンピューターシステムの映像情報インターフェース装置並びにその方法を提供することにある。
【０００９】
【課題を解決するための手段】
本発明のコンピューターシステムの映像情報インターフェース装置は、映像信号及び該当する映像信号のディスプレー形式情報の含まれた水平同期信号を出力するための本体と、前記本体から出力されたディスプレー形式情報に基づいて該当する映像信号のディスプレー形式を把握し、把握されたディスプレー形式にあわせて前記本体から出力された映像信号を画面上にディスプレーするためのモニタとを備え、前記本体はディスプレー形式情報を垂直同期信号と同期させるとともに、前記ディスプレー形式情報をモニタで認識するためのクロックパルスを垂直同期信号に含ませて伝送することを特徴とする。
また、本発明のコンピューターシステムの映像情報インターフェース装置は、映像信号のディスプレー形式情報を分割し、分割されたディスプレー形式情報を、水平同期信号および映像信号にそれぞれ含ませて、映像信号及び水平同期信号及び垂直同期信号を出力するための本体と、前記本体から出力されたディスプレー形式情報に基づいて該当する映像信号のディスプレー形式を把握し、把握されたディスプレー形式にあわせて前記本体から出力された映像信号を画面上にディスプレーするためのモニタとを備えることを特徴とする。
また、本発明のコンピューターシステムの映像情報インターフェース装置は、モニタ自体によってディスプレー可能なディスプレイ形式情報を出力し、外部から入力される映像信号を該当する映像形式で画面上にディスプレーするためのモニタと、前記モニタから出力されたディスプレイ形式情報にあわせて映像信号のディスプレー形式を変換して前記モニタに出力するための本体とを備え前記モニタは、前記ディスプレイ形式情報を通信用のデータに含ませて、直列クロックパルスとともに本体に伝送することを特徴とする。
また、本発明のコンピューターシステムの映像情報インターフェース方法は、モニタと、モニタへ水平／垂直同期信号及び映像信号を出力し、通信ラインを介してモニタとデータ送受信を行う本体とからなるコンピューターシステムにおいて、前記本体で前記映像信号のディスプレー形式情報を水平同期信号、映像信号、又は通信用のデータのいずれかに含ませてモニタに伝送する段階と、前記モニタで前記ディスプレー形式情報を用いて前記本体から伝送された映像信号のディスプレー形式を把握し、それにあわせて前記映像信号を画面上にディスプレーする段階とを備え、前記本体は前記ディスプレー形式情報を垂直同期信号と同期させるとともに、前記ディスプレー形式情報をモニタで認識するためのクロックパルスを垂直同期信号に含ませて伝送することを特徴とする。
前記ディスプレー形式情報は、該当するディスプレー形式情報の種類を指定するための認識コードと、前記認識コードに該当するデータと
を含んでなることを特徴とする。
前記認識コードは２ビットからなることを特徴とする。
前記データは、水平区間のドット数と、水平区間のバックポーチのドット数と、垂直区間の水平ライン数と、垂直区間のバックポーチの水平ライン数とを含んでなることを特徴とする。
また、本発明のコンピューターシステムの映像情報インターフェース方法は、モニタと、モニタへ水平／垂直同期信号及び映像信号を出力し、通信ラインを介してモニタとデータ送受信を行う本体とからなるコンピューターシステムにおいて、前記本体で前記映像信号のディスプレー形式情報を通信用のデータに含ませて水平／垂直同期信号及び映像信号とともにモニタに伝送する段階と、前記モニタで前記ディスプレー形式情報を用いて前記本体から伝送された映像信号のディスプレー形式を把握し、それにあわせて映像信号を画面上にディスプレーする段階とを備え、前記本体はディスプレー形式情報を垂直同期信号と同期させるとともに、前記ディスプレー形式情報をモニタで認識するためのクロックパルスを垂直同期信号に含ませて伝送することを特徴とする。
また、本発明のコンピューターシステムの映像情報インターフェース方法は、モニタと、モニタへ水平／垂直同期信号及び映像信号を出力し、通信ラインを介してモニタとデータ送受信を行う本体とからなるコンピューターシステムにおいて、前記本体で前記映像信号のディスプレー形式情報を前記水平同期信号又は映像信号のうち少なくとも一つに含ませてモニタに伝送する段階と、前記モニタで前記ディスプレー形式情報を用いて前記本体から伝送された映像信号のディスプレー形式を把握し、それにあわせて前記映像信号を画面上にディスプレーする段階とを備え、前記本体はディスプレー形式情報を垂直同期信号と同期させるとともに、前記ディスプレー形式情報をモニタで認識するためのクロックパルスを垂直同期信号に含ませて伝送することを特徴とする。
また、本発明のコンピューターシステムの映像情報インターフェース方法は、モニタと、モニタへ水平／垂直同期信号及び映像信号を出力し、通信ラインを介してモニタとデータ送受信を行う本体とからなるコンピューターシステムにおいて、前記本体で前記映像信号のディスプレー形式情報を分割し、分割されたディスプレー形式情報を前記水平同期信号と映像信号の各々に含ませてモニタに伝送する段階と、前記モニタで前記ディスプレー形式情報を用いて前記本体から伝送された映像信号のディスプレー形式を把握し、それにあわせて前記映像信号を画面上にディスプレーする段階とを備えることを特徴とする。
また、本発明のコンピューターシステムの映像情報インターフェース方法は、モニタと、モニタへ水平／垂直同期信号及び映像信号を出力し、通信ラインを介してモニタとデータ送受信を行う本体とからなるコンピューターシステムにおいて、前記モニタ自体によって具現可能な映像のディスプレー形式情報を、通信用のデータに含ませて、直列クロックパルスとともに前記本体に伝送する段階と、前記本体で前記モニタから伝送されたディスプレー形式情報にあわせて映像信号形式を変換して前記モニタに伝送する段階と、前記モニタで前記本体から伝送された映像信号をディスプレーする段階とを備えることを特徴とする。
【００２４】
【発明の実施の形態】
以下、本発明によるコンピューターシステムの映像情報インターフェース装置の第１及び第２実施例を説明する。
【００２５】
（第１実施例）
本発明によるコンピューターシステムの映像情報インターフェース装置の第１実施例は、図３に示すように、画面を具現化するためのＲ／Ｇ／Ｂ映像信号及び水平／垂直同期信号を生成・出力し、前記Ｒ／Ｇ／Ｂ映像信号のディスプレー形式情報を前記水平／垂直同期信号、Ｒ／Ｇ／Ｂ映像信号、又は各種の情報インターフェースのためのＤＤＣ（ＳＤＡ／ＳＣＬ）を介して出力するＰＣ又はワークステーション等の本体３１と、前記本体３１から出力されたディスプレー形式情報に基づいて該当する映像信号のディスプレー形式を把握し、そのディスプレー形式にあわせて映像信号を画面上にディスプレーするモニタ３２とを備える。この際、モニタ３２は、本体３１から伝送されたディスプレー形式情報に基づいてＲ／Ｇ／Ｂ映像信号の形式を把握し、該当するディスプレー形式で信号処理されるように制御信号を出力するマイコン４１と、マイコン４１の制御信号に基づいて前記本体３１から伝送されたＲ／Ｇ／Ｂ映像信号を画面上にディスプレー可能なように信号処理する映像処理部４２と、前記映像処理部４２の出力を画面上にディスプレーするディスプレー部４３とから構成される。
【００２６】
以下、このように構成された本発明の動作について説明する。
【００２７】
まず、本体３１から水平／垂直同期信号及びＲ／Ｇ／Ｂ映像信号を伝送するとともに、前記Ｒ／Ｇ／Ｂ映像信号のディスプレー形式に関する情報を直列データＳＤＡ、水平同期信号、又はＲ／Ｇ／Ｂ映像信号に含ませてモニタ３２に伝送する。この際、ディスプレー形式情報は、水平区間のドット(ｄｏｔ)数、水平区間のバックポーチのドット数、垂直区間の水平ライン数、垂直区間のバックポーチの水平ライン数等である。モニタ３２のマイコン４１は、前記ディスプレー形式情報に基づいて本体３１から伝送されるＲ／Ｇ／Ｂ映像信号のディスプレー形式を正確に把握し、把握されたディスプレー形式で映像処理されるように前記映像処理部４２に制御信号を出力する。次いで、前記映像処理部４２は、前記マイコン４１の制御信号に基づいて前記Ｒ／Ｇ／Ｂ映像信号を画面上にディスプレー可能なように信号処理してディスプレー部４３に出力し、前記ディスプレー部４３は前記映像処理部４２の出力を画面上にディスプレーする。
【００２８】
（第２実施例）
本発明によるコンピューターシステムの映像情報インターフェース装置の第２実施例は、図４に示すように、自分でディスプレー可能なディスプレー形式情報、つまり工場モードを出力し、外部から入力されるＲ／Ｇ／Ｂ映像信号を該当するディスプレー形式で画面上にディスプレーするためのモニタ５２と、前記モニタ５２から出力されたディスプレー形式情報にあわせてＲ／Ｇ／Ｂ映像信号のディスプレー形式を変換して前記モニタ５２に出力するための本体５１とを備える。この際、前記モニタ５２は、本体５１から伝送されたＲ／Ｇ／Ｂ映像信号の形式を把握し、該当する工場モードで信号処理されるように制御信号を出力するマイコン６１と、マイコン６１の制御信号に基づいて前記本体５１から伝送されたＲ／Ｇ／Ｂ映像信号を画面上にディスプレー可能なように信号処理する映像処理部６２と、前記映像処理部６２の出力を画面上にディスプレーするディスプレー部６３とから構成される。
【００２９】
以下、このように構成された本発明の動作について説明する。
【００３０】
まず、モニタ５２のマイコン６１が、ディスプレー可能な映像信号のディスプレー形式、つまり既設定の工場モードのディスプレー形式を直列データＳＤＡラインを介して本体５１に伝送する。次いで、本体５１は、前記モニタ５２から出力された工場モードのディスプレー形式情報に合うように、つまりモニタ５２で正常にディスプレー可能なようにＲ／Ｇ／Ｂ映像信号のディスプレー形式を変換して水平／垂直同期信号とともにモニタ５２に伝送する。そして、モニタ５２のマイコン６１は前記Ｒ／Ｇ／Ｂ映像信号のディスプレー形式を把握して該当する形式でディスプレーされるように映像処理部６２に制御信号を出力する。次いで、前記映像処理部６２は、前記マイコン６１の制御信号に基づいて前記Ｒ／Ｇ／Ｂ映像信号を画面上にディスプレー可能なように信号処理してディスプレー部６３に出力し、前記ディスプレー部６３は該当する映像信号を画面上にディスプレーする。
【００３１】
以下、本発明によるコンピューターシステムの映像情報インターフェース方法の第１〜第４実施例を説明する。
【００３２】
（第１実施例）
本発明によるコンピューターシステムの映像情報インターフェース方法の第１実施例は、図５に示すように、まず本体でＲ／Ｇ／Ｂ映像信号のディスプレー形式情報を垂直同期信号と同期させて直列データＳＤＡに乗せて直列クロックパルスＳＣＬとともにモニタに伝送する。次いで、モニタは前記垂直同期信号をイネーブル（ｅｎａｂｌｅ）信号として前記直列クロックパルスに基づいて直列データを読み込む。そして、前記直列データに乗せられたディスプレー形式情報を把握して該当する形式にあわせてＲ／Ｇ／Ｂ映像信号を画面上にディスプレーする。
【００３３】
（第２実施例）
本発明によるコンピューターシステムの映像情報インターフェース方法の第２実施例は、図６に示すように、まず本体でＲ／Ｇ／Ｂ映像信号のディスプレー形式情報‘▲２▼’を垂直同期信号‘▲３▼’と同期するように水平同期信号、Ｒ映像信号、Ｇ映像信号、又はＢ映像信号のうち何れか一つに乗せて、例えば水平同期信号にディスプレー形式情報を乗せて、前記垂直同期信号に含まれる前記ディスプレー形式情報を認識するためのクロックパルスを含ませてモニタに伝送する。この際、‘▲１▼’は水平同期信号区間である。次いで、モニタは前記垂直同期信号をイネーブル信号として垂直同期信号に含まれたクロックパルスに基づいて前記水平同期信号に乗せられたディスプレー形式情報を読み込む。そして、前記ディスプレー形式情報を把握して該当する形式にあわせてＲ／Ｇ／Ｂ映像信号を画面上にディスプレーする。
【００３４】
（第３実施例）
本発明によるコンピューターシステムの映像情報インターフェース方法の第３実施例は、図６に示すように、まず本体でＲ／Ｇ／Ｂ映像信号のディスプレー形式情報を所定の単位に分類し、分類された各ディスプレー形式情報を垂直同期信号‘▲３▼’に同期するように水平同期信号、Ｒ映像信号、Ｇ映像信号、又はＢ映像信号に乗せて前記垂直同期信号に含まれる前記ディスプレー形式情報を認識するためのクロックパルスを含ませてモニタに伝送する。例えば、ディスプレー形式情報を２単位に分類し、分類された各ディスプレー形式情報を水平同期信号、Ｒ映像信号に分けて乗せるか、ディスプレー形式情報を４単位に分類し、分類された各ディスプレー形式情報を水平同期信号、Ｒ映像信号、Ｇ映像信号、そしてＢ映像信号に分けて乗せて、前記垂直同期信号に含まれる前記ディスプレー形式情報を認識するためのクロックパルスを含ませてモニタに伝送する。次いで、モニタは前記垂直同期信号をイネーブル信号として垂直同期信号に含まれたクロックパルスに基づいて水平同期信号、Ｒ映像信号、Ｇ映像信号、又はＢ映像信号に含まれたディスプレー形式情報を読み込む。そして、前記各々のディスプレー形式情報を合わせた後、該当する内容を把握してその形式にあわせてＲ／Ｇ／Ｂ映像信号を画面上にディスプレーする。
【００３５】
（第４実施例）
本発明によるコンピューターシステムの映像情報インターフェース方法の第４実施例は、図７に示すように、まずモニタ自体がディスプレー可能な映像信号のディスプレー形式情報、つまり工場モード情報を直列データＳＤＡに含ませて直列クロックパルスＳＣＬとともに本体に伝送する。次いで、本体は、前記モニタから伝送されたディスプレー形式情報を把握し、モニタで正常に映像処理可能なディスプレー形式を認識してＲ／Ｇ／Ｂ映像信号を前記ディスプレー形式にあわせて変換した後、該当する水平／垂直同期信号とともにモニタに伝送する。従って、モニタは、前記本体から伝送された水平／垂直同期信号を用いてＲ／Ｇ／Ｂ映像信号のディスプレー形式を把握し、既設定の工場モードのうち前記ディスプレー形式にあう工場モードで画面上にディスプレーする。
【００３６】
又、本発明の第１〜第４実施例においてディスプレー形式情報はいろんな形態に構成可能である。図８はその一例であり、総情報を１６ビットで構成し、その中の２ビットを認識コードとし、その他の１４ビットをデータとする方法である。すなわち、認識コード‘００’に対して１水平区間のドット数の情報を与え、認識コード‘０１’に対して１水平区間のバックポーチのドット数の情報を与え、認識コード‘１０’に対して１垂直区間の水平ライン数の情報を与え、認識コード‘１１’に対して１垂直区間のバックポーチの水平ライン数の情報を与える方法である。上述の構成はディスプレー形式情報を４種にした場合であり、ディスプレー形式情報の数に応じて全体ビット数及び認識コードビット数は可変である。
【００３７】
【発明の効果】
上述したように、本発明によるコンピューターシステムの映像情報インターフェース装置並びにその方法は、本体とモニタのディスプレー形式情報の交換を通じてモニタ入力映像のディスプレー形式に係わらずに常に最適の画面状態を維持することができるので、使用者の製品信頼性を向上させることができるという効果がある。
【図面の簡単な説明】
【図１】従来の技術によるコンピューターシステムの連係構成を示すブロック図。
【図２】図１の水平／垂直同期信号及びＳＤＡ／ＳＣＬ信号を示す波形図。
【図３】本発明によるコンピューターシステムの映像情報インターフェース装置の第１実施例を示すブロック図。
【図４】本発明によるコンピューターシステムの映像情報インターフェース装置の第２実施例を示すブロック図。
【図５】本発明によるコンピューターシステムの映像情報インターフェース方法の第１実施例を説明するための波形図。
【図６】本発明によるコンピューターシステムの映像情報インターフェース方法の第２及び第３実施例を説明するための波形図。
【図７】本発明によるコンピューターシステムの映像情報インターフェース方法の第４実施例を説明するための波形図。
【図８】本発明のディスプレー形式情報のフォーマットを示す図。
【符号の説明】
２、３２、５２  モニタ
【図１】
0003626670.tif 000002
【図２】
0003626670.tif 000003
【図３】
0003626670.tif 000004
【図４】
0003626670.tif 000005
【図５】
0003626670.tif 000006
【図６】
0003626670.tif 000007
【図７】
0003626670.tif 000008
【図８】
0003626670.tif 000009